(57)【特許請求の範囲】
【請求項１】
液体を霧化する霧化機構を有する髪ケア装置において、
前記霧化機構が、外部駆動力により回転する回転体と、当該回転体に液体を供給する液体供給部と、を有し、
前記回転体は、遠心力によって液体を回転周方向に分配する分配面を有し、
前記液体供給部は、前記分配面の回転中心部に液体を供給し、
前記分配面は、円形の平板状であることを特徴とする髪ケア装置。
【請求項２】
前記液体供給部は、液体を含浸または貯留する液体保持部であることを特徴とする請求項１に記載の髪ケア装置。
【請求項３】
前記液体供給部は、冷却することで空気中の水分を結露させる液体生成部であることを特徴とする請求項１に記載の髪ケア装置。
【請求項４】
前記分配面の外周縁がシャープエッジであることを特徴とする請求項１〜３のうちいずれか一つに記載の髪ケア装置。
【請求項５】
前記回転体は、液体が通流する中空部を有して放射状に配置される複数の管状部を有することを特徴とする請求項１〜４のうちいずれか一つに記載の髪ケア装置。
【請求項６】
前記回転体は、送風を受けて回転力を発生するファンを有することを特徴とする請求項１〜５のうちいずれか一つに記載の髪ケア装置。
【請求項７】
前記回転体に前記液体生成部の放熱フィンを設け、該放熱フィンを、送風を受けて回転力を発生するファンとして形成したことを特徴とする請求項３に記載の髪ケア装置。
【請求項８】
前記回転体は、回転軸方向に所定長さを有し、その外周に放射状のガイド部またはブラシを突設した柱状回転体であることを特徴とする請求項１〜７のうちいずれか一つに記載の髪ケア装置。
【請求項９】
前記柱状回転体に、液体が通流する中空部を形成するとともに、前記ガイド部またはブラシの形成基部に対応して、当該中空部に連通する液体噴出孔を形成したことを特徴とする請求項８に記載の髪ケア装置。
【請求項１０】
請求項１〜９のうちいずれか一つに記載の髪ケア装置で用いられる霧化機構。
【発明の詳細な説明】
【技術分野】
【０００１】
本発明は、髪ケア装置に関する。
【背景技術】
【０００２】
従来の霧化機構を有する髪ケア装置として、タンクに貯留した液体を吸い上げるとともに吸い上げた液体を飛散させる回転体を備え、飛散させた液体を櫛状突起に衝突させて霧化するようにしたものが知られている（特許文献１）。
【特許文献１】特開昭５０−１０６７４６号公報
【発明の開示】
【発明が解決しようとする課題】
【０００３】
しかしながら、上記従来の髪ケア装置は、回転体でタンクから液体を吸い上げるとともに当該回転体によって液体を飛散させる構成、すなわちポンプとファンとが一体化された構成となっていたため、装置が全体として大型化し、家庭用あるいは業務用の髪ケア装置としては極めて実用性に乏しいものとなっていた。
【０００４】
そこで、本発明は、より小型化かつ軽量化することが可能な霧化機構を有する髪ケア装置を得ることを目的とする。
【課題を解決するための手段】
【０００５】
請求項１の発明にあっては、液体を霧化する霧化機構を有する髪ケア装置において、上記霧化機構が、外部駆動力により回転する回転体と、当該回転体に液体を供給する液体供給部と、を有し、前記回転体は、遠心力によって液体を回転周方向に分配する分配面を有し、前記液体供給部は、前記分配面の回転中心部に液体を供給し、前記分配面は、円形の平板状であることを特徴とする。
【０００６】
請求項２の発明にあっては、上記液体供給部は、液体を含浸または貯留する液体保持部であることを特徴とする。
【０００７】
請求項３の発明にあっては、上記液体供給部は、冷却することで空気中の水分を結露させる液体生成部であることを特徴とする。
【００１０】
請求項４の発明にあっては、上記分配面の外周縁がシャープエッジであることを特徴とする。
【００１１】
請求項５の発明にあっては、上記回転体は、液体が通流する中空部を有して放射状に配置される複数の管状部を有することを特徴とする。
【００１２】
請求項６の発明にあっては、上記回転体は、送風を受けて回転力を発生するファンを有することを特徴とする。
【００１３】
請求項７の発明にあっては、上記回転体に上記液体生成部の放熱フィンを設け、該放熱フィンを、送風を受けて回転力を発生するファンとして形成したことを特徴とする。
【００１４】
請求項８の発明にあっては、上記回転体は、回転軸方向に所定長さを有し、その外周に放射状のガイド部またはブラシを突設した柱状回転体であることを特徴とする。
【００１５】
請求項９の発明にあっては、上記柱状回転体に、液体が通流する中空部を形成するとともに、上記ガイド部またはブラシの形成基部に対応して、当該中空部に連通する液体噴出孔を形成したことを特徴とする。
【００１６】
請求項１０の発明にあっては、上記髪ケア装置で用いられる霧化機構である。
【発明の効果】
【００１７】
請求項１の発明によれば、霧化機構が、回転体と、この回転体に液体を供給する液体供給部とを有するため、回転体によって液体を吸い上げるとともに霧化していた従来の装置に比べて、霧化機構をよりコンパクトに構成することができ、髪ケア装置により容易に装備することができる。また、請求項１の発明によれば、回転体を比較的簡素な構成として得ることができ、霧化機構の小型化や製造コスト低減に資する。また、液体を、回転体の分配面上を伝わせる間に、回転周方向により均等に分配することができて、霧の分散性を高めることができる。さらに、請求項１の発明によれば、分配面を円形の平面状として回転体の構成を簡素化できるため、霧化機構の小型化や製造コスト低減に資する。
【００１８】
請求項２の発明によれば、液体供給部を、液体を含浸または貯留した液体保持部としたことにより、霧化機構をより簡素でありかつよりコンパクトな構成とすることができる。
【００１９】
請求項３の発明によれば、液体供給部を、冷却して空気中の水分を結露させる液体生成部としたことにより、液体供給部に液体を補給する構成が不要となって、霧化機構をよりコンパクトに構成できる上、水を補給する手間が省ける分、使用者の使い勝手を向上できる。
【００２２】
請求項４の発明によれば、分配面の外周縁における水切り性を向上して、霧化性能を向上することができる。
【００２３】
請求項５の発明によれば、回転体を比較的簡素な構成として得ることができ、霧化機構の小型化や製造コスト低減に資する。また、相互に隣接する管状部間が空間部となる分、回転体の周囲に空気流を通過させる場合に、その通流抵抗を減らすことができる。
【００２４】
請求項６の発明によれば、回転体の周囲に空気流（送風）を通過させる場合に、当該空気流を回転体の回転に利用することができ、回転体の駆動機構をよりコンパクトに構成することができる。
【００２５】
請求項７の発明によれば、放熱フィンとファンとを一体化することができる分、霧化機構をより簡素でありかつよりコンパクトな構成とすることができる。
【００２６】
請求項８の発明によれば、回転体を比較的簡素な構成として得ることができ、霧化機構の小型化や製造コスト低減に資する。また、回転体を軸方向に細長く形成しやすいため、髪ケア装置内に細長いレイアウトスペースがある場合に有利となる。
【００２７】
請求項９の発明によれば、液体をガイド部またはブラシにより確実に案内して霧化効率を高めることができる。
【００２８】
請求項１０の発明によれば、霧化機構をよりコンパクトに構成することができ、髪ケア装置に装備しやすくなる。
【発明を実施するための最良の形態】
【００２９】
以下、本発明の好適な実施形態について、図面を参照しながら詳細に説明する。なお、以下の複数の実施形態には、同様の構成要素が含まれている。よって、以下では、同様の構成要素について共通の符号を付与するとともに、重複する説明を省略する。
【００３０】
（第１実施形態）図１〜図３は、本発明の第１実施形態にかかる髪ケア装置を示す。このうち、図１は、髪ケア装置の断面図、図２は、霧化機構の側断面図、図３は、霧化機構の正面図である。
【００３１】
本実施形態にかかる髪ケア装置としてのドライヤー１では、空気取込口２ｂを設けた胴部ケース２の内部に、空気の流通径路に対して上流側からファンユニット３およびヒータユニット４が配置されており、このヒータユニット４の下流側に霧化機構１０が設けられている。
【００３２】
ファンユニット３は、モータ３Ｍと、このモータ３Ｍの上流側に配置したファン３Ｆと、を備え、モータ３Ｍの駆動力によってファン３Ｆを回転することにより、空気取込口２ｂから導入した空気を胴部ケース２内に流通して送風吹出口２ａから吹き出すようになっている。
【００３３】
ヒータユニット４は、雲母等の耐熱板４Ｐを断面十字状に組み合わせて、その外周にニクロム線４Ｈを螺旋状に巻回して構成されており、ファンユニット３から供給される送風Ｗをニクロム線４Ｈの熱で加熱するものである。
【００３４】
また、ドライヤー１のグリップ部５には、ファンユニット３およびヒータユニット４のＯＮ／ＯＦＦを切換操作するスイッチ６を設けてある。このスイッチ６には、モータ３Ｍの回転数（ファン３Ｆの送風Ｗ量）を調整する切換え機能や、ニクロム線４Ｈへの供給電流値（ニクロム線４Ｈの発熱量）を調整する切換え機能を付加してもよい。なお、スイッチ６には電源コード７が接続されている。
【００３５】
胴部ケース２は、回動連結部８を介してグリップ部５に取り付けられ、当該グリップ部５に対する回動調整が可能となっており、ドライヤー１の送風角度を変化できるようにしてある。
【００３６】
霧化機構１０は、ヒータユニット４の下流側近傍に配置され、図２，図３に示すように、外部駆動力により回転する回転体１１と、この回転体１１の中心部に配置して一体に回転し、水等の液体Ｌを供給する液体供給部１２と、を備えている。
【００３７】
本実施形態では、回転体１１は、モータ３Ｍによって回転駆動される。すなわち、図１に示すように、ファンユニット３のモータ３Ｍの回転軸３Ｓを送風Ｗの下流側に延長し、その回転軸３Ｓを回転体１１の中心に結合することで、当該回転体１１を回転させるようになっている。回転体１１は、薄板状の円形板１１Ａとして構成してある。
【００３８】
また、液体供給部１２は、液体Ｌを含浸または貯留する液体保持部１２Ａとして構成してある。具体的には、液体Ｌを含浸させる場合は多孔質のフェルトやスポンジ等として構成することができ、また、液体Ｌを貯留する場合は小型タンクとして構成することができる。
【００３９】
以上の構成を有する霧化機構１０では、回転体１１がモータ３Ｍの回転軸３Ｓにより回転すると、この回転体１１の中心部に配置した液体供給部１２から供給される液体Ｌが、回転体１１の遠心力によって当該回転体１１の板面１１ｆに沿って放射方向に拡散する。そして、その放射方向に拡散した液体Ｌは、回転体１１の外周縁１１ｏから遠心力によって微細ミストＭとして放出される。すなわち、本実施形態では板面１１ｆが分配面に相当する。
【００４０】
したがって、本実施形態によれば、霧化機構が、回転体１１と、この回転体１１に液体を供給する液体供給部１２とを有するため、回転体によって液体を吸い上げるとともに霧化していた従来の装置に比べて、霧化機構１０をよりコンパクトに構成することができ、髪ケア装置により容易に装備することができる。
【００４１】
また、本実施形態によれば、液体供給部１２を、液体を含浸または貯留した液体保持部１２Ａとしたことにより、霧化機構１０をより簡素でありかつよりコンパクトな構成とすることができる。
【００４２】
また、本実施形態では、回転体１１は、遠心力によって液体を回転周方向に分配する分配面としての板面１１ｆを有し、液体供給部１２は、当該板面１１ｆの回転中心部に液体を供給する。このため、回転体１１を比較的簡素な構成として得ることができ、霧化機構１０の小型化や製造コスト低減に資する。また、液体を、回転体１１の板面１１ｆ上を伝わせる間に、回転周方向により均等に分配することができて、霧の分散性を高めることができる。
【００４３】
また、本実施形態では、板面１１ｆが円形の平面状である。このため、回転体１１の構成を簡素化できて、霧化機構１０の小型化や製造コスト低減に資する。
【００４４】
そして、上述したように、霧化機構１０の小型軽量化が可能となることにより、その霧化機構１０をドライヤー１の胴部ケース２内に容易に組み込み、当該霧化機構１０で発生させた微細ミストＭを送風Ｗに混合させて送風吹出口２ａから吹き出させることが可能となる。
【００４５】
（第２実施形態）図４，図５は本発明の第２実施形態を示している。このうち、図４は霧化機構の側断面図、図５は、霧化機構の正面図である。
【００４６】
図４，図５に示すように、本実施形態にかかる霧化機構１０Ａは、モータ３Ｍの回転軸３Ｓにより回転する回転体１１と、この回転体１１の中心部に配置されて一体に回転し、水等の液体Ｌを供給する液体供給部１２と、を備えている。
【００４７】
ただし、本実施形態では、液体供給部１２を、冷却して空気中の水分を結露させる液体生成部としてのペルチェユニット１２Ｂとして構成してある。
【００４８】
ペルチェユニット１２Ｂは、図４に示すように、熱電素子２０を電極となるペルチェ回路板２１，２２で挟み、低温側のペルチェ回路板２１に絶縁板２３を介在させて結露板２４を取り付けて構成してある。そして、一対のペルチェ回路板２１，２２間に通電することにより、低温側のペルチェ回路板２１と高温側のペルチェ回路板２２との間に温度差を発生させて結露板２４を冷却し、この結露板２４に結露させるようになっている。また、高温側のペルチェ回路板２２に放熱フィン２５を設けて放熱を促進し、ペルチェ効果が低下するのを抑制してある。
【００４９】
結露板２４は回転体１１の板面１１ｆと略同一面となり、結露板２４で生成した結露を液体Ｌとして、第１実施形態と同様に回転体１１の回転に伴って微細ミストＭを回転体１１の外周縁１１ｏから放出するようになっている。
【００５０】
そして、本実施形態にあっても、回転体１１を第１実施形態と同様に薄板状の円形板１１Ａとし、板面１１ｆを円形の平面状としてある。
【００５１】
以上の構成により、本実施形態によれば、液体供給部１２を、冷却して空気中の水分を結露させる液体生成部としてのペルチェユニット１２Ｂで構成したことにより、液体供給部１２に液体を補給する構成が不要となって、霧化機構１０Ａをよりコンパクトに構成できる上、水を補給する手間が省ける分、使用者の使い勝手を向上することができる。
【００５２】
そして、本実施形態にかかる霧化機構１０Ａにあっても、第１実施形態に示した髪ケア装置としてのドライヤー１に適用することができ、髪ケア装置としての同様の効果を得ることができる。
【００５３】
（第３実施形態）図６は、本発明の第３実施形態にかかる霧化機構の斜視図である。
【００５４】
この図６に示すように、本実施形態にかかる霧化機構１０Ｂは、基本的には、上記実施形態と同様、モータ３Ｍの回転軸３Ｓにより回転する回転体１１と、この回転体１１の中心部に配置した液体供給部１２と、を備えている。
【００５５】
ただし、本実施形態では、回転体１１を所定厚みｔを有する肉厚の円盤１１Ｂとして構成し、液体供給部１２から液体が供給される分配面としての板面１１ｆの外周縁１１ｏをシャープエッジ１１Ｅとした点が、上記第１・第２実施形態とは異なっている。なお、本実施形態でも、板面１１ｆは円形の平面状としてある。
【００５６】
なお、液体供給部１２は、第１実施形態と同様の液体保持部１２Ａであってもよいし、第２実施形態と同様のペルチェユニット１２Ｂであってもよい。
【００５７】
以上の構成により、本実施形態によれば、分配面としての板面１１ｆの外周縁１１ｏをシャープエッジ１１Ｅとしたため、当該外周縁１１ｏにおける水切り性を向上し、霧化性能を向上することができる。
【００５８】
図７は、上記第３実施形態の第１変形例にかかる霧化機構の斜視図である。同図に示すように、この変形例では、回転体１１を扁平な円錐状の円盤１１Ｂで形成してある。そして、その円盤１１Ｂの底面を平坦な板面１１ｆとして、その板面１１ｆの外周縁１１ｏをシャープエッジ１１Ｅとしてある。
【００５９】
そして、板面１１ｆの中心部に、液体保持部１２Ａやペルチェユニット１２Ｂとして形成することができる液体供給部１２を配置してある。
【００６０】
したがって、この第１変形例にあっても、上記第３実施形態と同様に、円錐状の円盤１１Ｂの外周縁１１ｏに形成したシャープエッジ１１Ｅから放出される液体の水切り性を向上して、霧化性能を向上することができる。
【００６１】
また、本変形例では、回転体１１の周囲に空気流（送風Ｗ）が形成されているが、液体Ｌが供給される板面１１ｆとは反対の円錐面１１ｒを送風Ｗの上流側に配置しておくことで、図中矢印で示すように送風Ｗの流れがスムーズになって空気の通流抵抗を低減できる。
【００６２】
図８は、上記第３実施形態の第２変形例にかかる霧化機構の斜視図である。同図に示すように、この変形例では、回転体１１を凸面状の板面１１ｆを有する円盤１１Ｂとして形成したものであるが、その外周縁１１ｏを、上記第３実施形態と同様にシャープエッジ１１Ｅに形成としてある。
【００６３】
そして、板面１１ｆの中心部に、液体保持部１２Ａやペルチェユニット１２Ｂとして形成することができる液体供給部１２を配置してある。
【００６４】
したがって、この第２変形例にあっても、上記第３実施形態と同様に、凸面状の円盤１１Ｂの外周縁１１ｏに形成したシャープエッジ１１Ｅから放出される液体の水切り性を向上して、霧化性能を向上することができる。
【００６５】
そして、上述した霧化機構１０Ｂにあっても、第１実施形態に示した髪ケア装置としてのドライヤー１に適用することができ、髪ケア装置としての同様の効果を得ることができる。
【００６６】
（第４実施形態）図９は、本発明の第４実施形態にかかる霧化機構の斜視図である。この図９に示すように、本実施形態では、霧化機構１０Ｃの回転体１１の中心部に配置される液体供給部１２は、液体保持部１２Ａとしてある。また、本実施形態では外部駆動力を送風Ｗから取るため、回転体１１は単に支軸１３によってドライヤー１の胴部ケース２（図１参照）側に回転自在に支持してある。
【００６７】
そして、図９から明らかとなるように、回転体１１を、液体保持部１２Ａの液体Ｌが供給される中空部１１ｈを有して放射状に配置される管状部１１Ｃを複数（本実施形態では４本）有するものとして構成してある。液体保持部１２Ａから供給された中空部１１ｈ内の液体Ｌは、複数の管状部１１Ｃの回転に伴う遠心力によって、各管状部１１Ｃの先端開口部から微細ミストとして放出される。
【００６８】
また、本実施形態では、回転体１１に、送風Ｗを受けて回転力を発生するファン１４を設けてある。ファン１４は、液体保持部１２Ａから各管状部１１Ｃに沿って放射状に延設してある。
【００６９】
以上の本実施形態によれば、回転体１１を、複数の管状部１１Ｃを有するものとして、比較的簡素に構成することができる。かかる構成では、隣接する管状部１１Ｃ間は空間部となるので、回転体１１の周囲を流れる空気流（送風Ｗ）の通流抵抗を減少することができる。
【００７０】
さらに、本実施形態では、回転体１１に送風Ｗを受けて回転力を発生するファン１４を設けた。したがって、回転体１１の周囲に空気流（送風Ｗ）を通過させる場合に、当該空気流を回転体１１の回転に利用することができ、回転体１１の駆動機構をよりコンパクトに構成することができる。
【００７１】
図１０は、第４実施形態の変形例にかかる霧化機構の斜視図である。同図に示すように、この変形例では、液体供給部１２をペルチェユニット１２Ｂとして構成するとともに、このペルチェユニット１２Ｂの放熱フィン２５を、送風Ｗを受けて回転力を発生するファンとして形成したものである。
【００７２】
そして、本変形例にあっても、回転体１１を、ペルチェユニット１２Ｂで結露した液体Ｌが供給される中空部１１ｈを有して放射状に配置される管状部１１Ｃを複数有するものとして構成してある。ペルチェユニット１２Ｂから供給された中空部１１ｈ内の液体Ｌは、複数の管状部１１Ｃの回転に伴う遠心力によって、各管状部１１Ｃの先端開口部から微細ミストとして放出される。
【００７３】
また、放熱フィン２５は、上記第４実施形態のファン１４と同様に、ペルチェユニット１２Ｂから各管状部１１Ｃに沿って放射状に延設してある。
【００７４】
したがって、本変形例にあっても、回転体１１を、複数の管状部１１Ｃを有するものとして、比較的簡素に構成することができる。かかる構成では、隣接する管状部１１Ｃ間は空間部となるので、回転体１１の周囲を流れる空気流（送風Ｗ）の通流抵抗を減少することができる。
【００７５】
さらに、本実施形態では、回転体１１に送風Ｗを受けて回転力を発生する放熱フィン２５を設けた。したがって、回転体１１の周囲に空気流（送風Ｗ）を通過させる場合に、当該空気流を回転体１１の回転に利用することができ、回転体１１の駆動機構をよりコンパクトに構成することができる。そして、空気流によって回転体１１を回転させるファンと、ペルチェユニット１２Ｂの放熱フィンとを別個に構成した場合に比べて、霧化機構１０Ｃの構成をよりコンパクトにすることができる。
【００７６】
そして、上述した霧化機構１０Ｃにあっても、第１実施形態に示した髪ケア装置としてのドライヤー１に適用することができ、髪ケア装置としての同様の効果を得ることができる。
【００７７】
（第５実施形態）図１１は、本発明の第５実施形態にかかる霧化機構の斜視図である。この図１１に示すように、本実施形態にかかる霧化機構１０Ｄは、基本的に第２実施形態と同様であって、回転体１１の中心部にペルチェユニット１２Ｂを設けて構成してある。そして、本実施形態にあっても回転体１１を支軸１３によって回転自在に支持してある。
【００７８】
回転体１１は、扁平な円錐状の円盤１１Ｂで形成し、円盤１１Ｂの底面となる分配面としての板面１１ｆにペルチェユニット１２Ｂから液体Ｌを供給して、外周縁１１ｏから微細ミストＭを放出するようになっている。
【００７９】
ただし、本実施形態では、円盤１１Ｂのペルチェユニット１２Ｂを配置した板面１１ｆとは反対面となる円錐面１１ｒに放熱フィン２５を設けるとともに、この放熱フィン２５を、送風Ｗを受けて回転力を発生するファン形状に形成した点が、上記第２実施形態と相違している。なお、放熱フィン２５のファン形状は、例えば、軸流ファン、ターボファン、シロッコファン等として形成することができる。
【００８０】
以上の本実施形態では、回転体１１に送風Ｗを受けて回転力を発生する放熱フィン２５を設けた。したがって、回転体１１の周囲に空気流（送風Ｗ）を通過させる場合に、当該空気流を回転体１１の回転に利用することができ、回転体１１の駆動機構をよりコンパクトに構成することができる。そして、空気流によって回転体１１を回転させるファンと、ペルチェユニット１２Ｂの放熱フィンとを別個に構成した場合に比べて、霧化機構１０Ｄの構成をよりコンパクトにすることができる。
【００８１】
また、回転体１１において送風Ｗの上流側を円錐面１１ｒとしたため、空気流（送風Ｗ）の通流抵抗を低減することができる。
【００８２】
図１２は、第５実施形態の変形例にかかる霧化機構を示す斜視図である。同図に示すように、この変形例では、放熱フィン２５を、円錐面１１ｒの中心部に配置した中央側フィン２５Ａと、円錐面１１ｒの外周部に配置した外側フィン２５Ｂと、によって形成してある。そして、中央側フィン２５Ａは、支軸１３に沿って放射状に立ち上げて、専らペルチェユニット１２Ｂの冷却用となっている。また、外側フィン２５Ｂは、円錐面１１ｒの外周部に放射状に突設してファン形状に形成し、ペルチェユニット１２Ｂの冷却と送風Ｗによる回転力発生に兼用している。
【００８３】
したがって、本変形例にあっても第５実施形態と同様に、回転体１１に送風Ｗを受けて回転力を発生する外側フィン２５Ｂを設けた。したがって、回転体１１の周囲に空気流（送風Ｗ）を通過させる場合に、当該空気流を回転体１１の回転に利用することができ、回転体１１の駆動機構をよりコンパクトに構成することができる。また、本変形例では中央側フィン２５Ａと外側フィン２５Ｂとを設けたことにより、ペルチェユニット１２Ｂの冷却効果をより一層高めることができる。
【００８４】
そして、上述した霧化機構１０Ｄにあっても、第１実施形態に示した髪ケア装置としてのドライヤー１に適用することができ、髪ケア装置としての同様の効果を得ることができる。
【００８５】
（第６実施形態）図１３は、本発明の第６実施形態にかかる霧化機構の斜視図である。この図１３に示すように、本実施形態にかかる霧化機構１０Ｅは、基本的に第１，第２実施形態と同様にモータ３Ｍの回転軸３Ｓにより回転する回転体１１を備える。
【００８６】
ただし、本実施形態では、回転体１１として、回転軸方向に所定長さａを有して、その外周に複数のフィン１５を放射状に突設した柱状回転体１１Ｄを設けた点が、上記第１，第２実施形態と相違している。
【００８７】
この柱状回転体１１Ｄの中心部には、液体が供給される中空部１６を形成し、柱状回転体１１Ｄの外周部には、当該中空部１６に連通する複数の液体噴出孔１７を、フィン１５の形成基部に対応させて形成してある。よって、柱状回転体１１Ｄの回転に伴う遠心力によって、液体Ｌはフィン１５に沿って先端部に導かれ、当該先端部から微細ミストＭとして放出される。
【００８８】
以上の本実施形態によれば、回転体１１を比較的簡素な構成として得ることができ、霧化機構１０Ｅの小型化や製造コスト低減に資する。また、回転体１１を軸方向に細長く形成しやすいため、髪ケア装置内に細長いレイアウトスペースがある場合に有利となる。
【００８９】
また、液体Ｌを、柱状回転体１１Ｄの外周部にフィン１５の形成基部に対応させて形成した複数の液体噴出孔１７から放出できるので、液体Ｌをフィン１５により確実に案内して霧化効率を高めることができる。
【００９０】
図１４は、第６実施形態の変形例にかかる霧化機構を示す斜視図である。同図に示すように、この変形例では、フィン１５に代えてブラシ１８を柱状回転体１１Ｄの外周から放射状に突設し、供給された液体Ｌをそのブラシ１８の先端部から微細ミストＭとして放出するようになっている。
【００９１】
また、本変形例では、液体供給部１２を柱状回転体１１Ｄの外方に隣接して設け、その液体供給部１２からブラシ１８に液体Ｌを滴下させるようになっている。この液体供給部１２は、液体保持部１２Ａであってもペルチェユニット１２Ｂであってもよい。
【００９２】
以上の本変形例にあっても、柱状回転体１１Ｄの回転に伴って液体Ｌを遠心力によりブラシ１８に沿って先端部に導き、その先端部から微細ミストＭとして放出することができる。かかる構成によっても、回転体１１を比較的簡素な構成として得ることができ、霧化機構１０Ｅの小型化や製造コスト低減に資する。また、回転体１１を軸方向に細長く形成しやすいため、髪ケア装置内に細長いレイアウトスペースがある場合に有利となる。
【００９３】
なお、本変形例にあっても、第６実施形態と同様に、柱状回転体１１Ｄの中心部に液体を供給する中空部を形成するとともに、柱状回転体１１Ｄの外周部にブラシ１８の形成基部に対応して液体噴出孔を形成し、その液体噴出孔から液体Ｌをブラシ１８に供給する構成としてもよい。
【００９４】
そして、上述した霧化機構１０Ｅにあっても、第１実施形態に示した髪ケア装置としてのドライヤー１に適用することができ、髪ケア装置としての同様の効果を得ることができる。
【００９５】
（第７実施形態）図１５は、本発明の第７実施形態にかかる霧化機構を組み込んだドライヤーの断面図である。
【００９６】
本実施形態にかかるドライヤー１Ａでは、モータ３Ｍの回転軸３Ｓの先端部にギアボックス３０を設け、このギアボックス３０を介して回転軸３Ｓの延長軸３Ｅを直角上方に延設してある。そして、その延長軸３Ｅを胴部ケース２の内の上部に配置した霧化機構１０Ｘに接続してある。
【００９７】
霧化機構１０Ｘとしては、上記各実施形態の霧化機構１０，１０Ａ〜１０Ｅのうちいずれかを採用することができる。ただし、回転軸方向は図１５の上下方向とする。
【００９８】
したがって、本実施形態によれば、霧化機構１０，１０Ａ〜１０Ｅの小型軽量化が可能となることにより、当該霧化機構１０，１０Ａ〜１０Ｅをドライヤー１の胴部ケース２内に容易に組み込み、当該霧化機構１０，１０Ａ〜１０Ｅで発生させた微細ミストＭを送風Ｗに混合させて送風吹出口２ａから吹き出させることが可能となる。
【００９９】
（第８実施形態）図１６，図１７は、本発明の第８実施形態を示している。このうち、図１６は、霧化機構を組み込んだヘアーアイロンの断面図、図１７は、ヘアーアイロンを開いた状態の断面図である。
【０１００】
本実施形態では、霧化機構１０Ｙを、髪ケア装置としてのヘアーアイロン１００に適用した場合を例示する。すなわち、ヘアーアイロン１００は、ヒータユニット１０１を内蔵した巻付け胴部１０２と、この巻付け胴部１０２の基部に回動支持部１０３を介して回動可能に連結した押え胴部１０４と、を備えて概ね構成してある。そして、図１７に示すように、押え胴部１０４を開いた状態で、その押え胴部１０４と巻付け胴部１０２との間に毛髪を挟んだ後、図１６に示すように、押え胴部１０４を閉じて毛髪を矯正するようになっている。
【０１０１】
ここで、本実施形態では押え胴部１０４の内部に空洞部１０５を設け、この空洞部１０５の内方に霧化機構１０Ｙを直列に複数（本実施形態では４個）配置してある。
【０１０２】
これら霧化機構１０Ｙは、外部駆動力としてモータ１０６によって回転駆動されるものであって、例えば、第１〜第３実施形態の霧化機構１０，１０Ａ，１０Ｂおよび第６実施形態の霧化機構１０Ｅとして構成することができる。
【０１０３】
押え胴部１０４の空洞部１０５では、その基部側（回動支持部１０３側）にモータ１０６を配置し、そのモータ１０６の回転軸１０７を空洞部１０５の略全長に亘って延長し、その回転軸１０７に複数の霧化機構１０Ｙを取り付けてある。空洞部１０５を取り巻く壁部１０５ａには、霧化機構１０Ｙで発生した微細ミストＭを外方に放出する開口部を設けてある。開口部は、空洞部１０５の壁部１０５ａを多孔質板やメッシュで形成したり、あるいは、壁部１０５ａにスリット等の幅狭開口を形成したりすることで得ることができる。
【０１０４】
以上の本実施形態によれば、霧化機構１０，１０Ａ，１０Ｂ，１０Ｅの小型軽量化が可能となることにより、髪ケア装置としてのヘアーアイロン１００に、霧化機構１０，１０Ａ，１０Ｂ，１０Ｅをより容易に装備することができる。
【０１０５】
なお、モータ１０６に代えてファンを設けて空洞部１０５内に送風を生じさせる場合には、第４，第５実施形態にかかる霧化機構１０Ｃ，１０Ｄをヘアーアイロン１００に適用することができる。
【０１０６】
（第９実施形態）図１８は、本発明の第９実施形態にかかる霧化機構を組み込んだヘアーブラシの断面図である。
【０１０７】
本実施形態では、霧化機構１０Ｚを、髪ケア装置としてのヘアーブラシ２００に適用した場合を例示する。すなわち、ヘアーブラシ２００は、多数のブラシ２０１を突設した胴部２０２と、この胴部２０２を取り付けたグリップ部２０３と、によって概ね構成してあり、胴部２０２内が空洞部２０４となっている。
【０１０８】
空洞部２０４のグリップ部２０３側端部の内方にはファン２０５を設け、このファン２０５で発生する送風Ｗを胴部２０２の下部に形成した吹出口２０６からブラシ２０１方向に吹き出すようになっている。
【０１０９】
また、空洞部２０４内の吹出口２０６近傍に霧化機構１０Ｚを配置するとともに、この霧化機構１０Ｚにはモータ２０７の回転軸２０８から外部駆動力を取るようになっている。そして、霧化機構１０Ｚで発生した微細ミストＭを送風Ｗに混ぜて吹出口２０６からブラシ２０１に吹き出すようになっている。
【０１１０】
これら霧化機構１０Ｚは、例えば、第１〜第３実施形態の霧化機構１０，１０Ａ，１０Ｂおよび第６実施形態の霧化機構１０Ｅを適用することができる。
【０１１１】
以上の本実施形態によれば、霧化機構１０，１０Ａ，１０Ｂ，１０Ｅの小型軽量化が可能となることにより、髪ケア装置としてのヘアーブラシ２００に、霧化機構１０，１０Ａ，１０Ｂ，１０Ｅをより容易に装備することができる。
【０１１２】
また、本実施形態では、ファン２０５で発生した送風Ｗを外部駆動力として利用することにより、第４，第５実施形態にかかる霧化機構１０Ｃ，１０Ｄをヘアーブラシ２００に適用することができる。この場合には、モータ２０７を廃止できる分、部品点数を減らせる上、ヘアーブラシ２００の軽量化を達成できる。
【０１１３】
以上、本発明の好適な実施形態について説明したが、本発明は上記実施形態およびその変形例に限定されるものではなく、種々に変形することが可能である。例えば、本発明にかかる霧化機構を、ドライヤーや、ヘアーブラシ、ヘアーブラシ以外の髪ケア装置に適用することも可能である。
【図面の簡単な説明】
【０１１４】
【図１】本発明の第１実施形態にかかる髪ケア装置としてのドライヤーの断面図である。
【図２】本発明の第１実施形態にかかる霧化機構の側断面図である。
【図３】本発明の第１実施形態にかかる霧化機構の正面図である。
【図４】本発明の第２実施形態にかかる霧化機構の側断面図である。
【図５】本発明の第２実施形態にかかる霧化機構の正面図である。
【図６】本発明の第３実施形態にかかる霧化機構の斜視図である。
【図７】本発明の第３実施形態にかかる霧化機構の第１変形例を示す斜視図である。
【図８】本発明の第３実施形態にかかる霧化機構の第２変形例を示す斜視図である。
【図９】本発明の第４実施形態にかかる霧化機構の斜視図である。
【図１０】本発明の第４実施形態にかかる霧化機構の変形例を示す斜視図である。
【図１１】本発明の第５実施形態にかかる霧化機構の斜視図である。
【図１２】本発明の第５実施形態にかかる霧化機構の変形例を示す斜視図である。
【図１３】本発明の第６実施形態にかかる霧化機構の斜視図である。
【図１４】本発明の第６実施形態にかかる霧化機構の変形例を示す斜視図である。
【図１５】本発明の第７実施形態にかかる髪ケア装置としてのドライヤーの断面図である。
【図１６】本発明の第８実施形態にかかる髪ケア装置としてのヘアーアイロンの断面図である。
【図１７】本発明の第８実施形態にかかる髪ケア装置としてのヘアーアイロンを開いた状態の断面図である。
【図１８】本発明の第９実施形態にかかる髪ケア装置としてのヘアーブラシの断面図である。
【符号の説明】
【０１１５】
１  ドライヤー（髪ケア装置）
１０，１０Ａ〜１０Ｅ，１０Ｘ〜１０Ｚ  霧化機構
１１  回転体
１１ｆ  板面（分配面）
１１ｈ  中空部
１１ｏ  外周縁
１１Ｃ  管状部
１１Ｅ  シャープエッジ
１１Ｄ  柱状回転体
１２  液体供給部
１２Ａ  液体保持部
１２Ｂ  ペルチェユニット（液体生成部）
１４  ファン
１５  ガイド部
１６  中空部
１７  液体噴出孔
１８  ブラシ
２５  放熱フィン
１００  ヘアーアイロン（髪ケア装置）
２００  ヘアーブラシ（髪ケア装置）
Ｌ  液体
Ｗ  送風
【図１】
0004894721.tif 000002
【図２】
0004894721.tif 000003
【図３】
0004894721.tif 000004
【図４】
0004894721.tif 000005
【図５】
0004894721.tif 000006
【図６】
0004894721.tif 000007
【図７】
0004894721.tif 000008
【図８】
0004894721.tif 000009
【図９】
0004894721.tif 000010
【図１０】
0004894721.tif 000011
【図１１】
0004894721.tif 000012
【図１２】
0004894721.tif 000013
【図１３】
0004894721.tif 000014
【図１４】
0004894721.tif 000015
【図１５】
0004894721.tif 000016
【図１６】
0004894721.tif 000017
【図１７】
0004894721.tif 000018
【図１８】
0004894721.tif 000019